(57)【要約】【課題】構成を簡素化してコストダウンを図ることができる衣装レンタルシステムを提供する。【解決手段】システムは、複数のユーザの端末３，４，５と、インターネット７上におけるＷｅｂサイトを通じて通信可能であり、貸したい会員の端末４から衣装の登録を受け付けて登録情報としてデータベース３２に登録する登録手段と、登録手段により登録された衣装をＷｅｂサイト上に表示する表示手段と、表示手段により表示された画面からされる借りたい会員からの衣装の予約を受け付ける管理手段と、衣装の貸し出しが成立した際、貸し出した会員より衣装の借り受け代金を受け取ると共に、当該衣装の持ち主に貸し出しの口銭を支払う会計手段４１とを備えている。【選択図】        図２
2009104294.tif 000002
【特許請求の範囲】
【請求項１】
複数のユーザの端末と、インターネット上におけるＷｅｂサイトを通じて通信可能な衣装レンタルシステムにおいて、
貸したい会員の端末から衣装の登録を受け付けて登録情報としてデータベースに登録する登録手段と、
前記登録手段により登録された衣装をＷｅｂサイト上に表示する表示手段と、
前記表示手段により表示された画面より行われる借りたい会員からの衣装の予約を受け付ける管理手段と、
衣装の貸し出しが成立した際、貸し出した会員より衣装の借り受け代金を受け取ると共に、当該衣装の持ち主に貸し出しの口銭を支払う会計手段と
を備えたことを特徴とするインターネット衣装レンタルシステム。
【請求項２】
表示手段は、予め会員登録された会員からのみ衣装の予約を受け付ける会員向け画面を表示すると共に、非会員であっても閲覧のみ可能な一般画面を表示する
ことを特徴とする請求項１に記載のインターネット衣装レンタルシステム。
【請求項３】
登録情報に衣装の鑑定情報が含まれ、管理手段は該鑑定情報により貸し出し金額を決定する
ことを特徴とする請求項１又は請求項２に記載のインターネット衣装レンタルシステム。
【請求項４】
登録情報に貸したい会員のポイント情報が含まれ、管理手段は貸し出しの衣装数に応じて貸したい会員のポイントを加算すると共に、該ポイントを当該貸したい会員が衣装を借りる際の貸し出し金額の割引率に反映する
ことを特徴とする請求項１乃至請求項３の何れかに記載のインターネット衣装レンタルシステム。
【請求項５】
管理手段は、ポイントを貸したい会員の衣装の貸し出しが成立した際の貸し出しの口銭の金額に反映する
ことを特徴とする請求項４に記載のインターネット衣装レンタルシステム。
【請求項６】
登録情報に衣装の試着情報が含まれ、管理手段は該試着情報により試着日の管理をする  ことを特徴とする請求項１乃至請求項５の何れかに記載のインターネット衣装レンタルシステム。
【請求項７】
登録された衣装を保管すると共に、衣装の貸し出しが成立した際、前記衣装配送の手配をする保管配送管理手段を更に備えた
ことを特徴とする請求項１乃至請求項５の何れかに記載のインターネット衣装レンタルシステム。
【請求項８】
複数のユーザの端末と、インターネット上におけるＷｅｂサイトを通じて通信可能な小物レンタルシステムにおいて、
貸したい会員の端末から小物の登録を受け付けて登録情報としてデータベースに登録する登録手段と、
前記登録手段により登録された小物をＷｅｂサイト上に表示する表示手段と、
前記表示手段により表示された画面より行われる借りたい会員からの小物の予約を受け付ける管理手段と、
小物の貸し出しが成立した際、貸し出した会員より小物の借り受け代金を受け取ると共に、当該小物の持ち主に貸し出しの口銭を支払う会計手段と
を備えたことを特徴とするインターネット小物レンタルシステム。
【請求項９】
表示手段は、予め会員登録された会員からのみ小物の予約を受け付ける会員向け画面を表示すると共に、非会員であっても閲覧のみ可能な一般画面を表示する
ことを特徴とする請求項８に記載のインターネット小物レンタルシステム。
【請求項１０】
登録情報に小物の鑑定情報が含まれ、管理手段は該鑑定情報により貸し出し金額を決定することを特徴とする請求項８又は請求項９に記載のインターネット小物レンタルシステム。
【請求項１１】
登録情報に貸したい会員のポイント情報が含まれ、管理手段は貸し出しの小物数に応じて貸したい会員のポイントを加算すると共に、該ポイントを当該貸したい会員が小物を借りる際の貸し出し金額の割引率に反映する
ことを特徴とする請求項８乃至請求項１１の何れかに記載のインターネット小物レンタルシステム。
【請求項１２】
管理手段は、ポイントを貸したい会員の小物の貸し出しが成立した際の貸し出しの口銭の金額に反映する
ことを特徴とする請求項１１に記載のインターネット小物レンタルシステム。
【請求項１３】
登録情報に小物の試着情報が含まれ、管理手段は該試着情報により試着日の管理をする  ことを特徴とする請求項８乃至請求項１２の何れかに記載のインターネット小物レンタルシステム。
【請求項１４】
登録された小物を保管すると共に、小物の貸し出しが成立した際、前記小物配送の手配をする保管配送管理手段を更に備えた
ことを特徴とする請求項８乃至請求項１３の何れかに記載のインターネット小物レンタルシステム。
【発明の詳細な説明】
【技術分野】
【０００１】
本発明は、インターネットを介して衣装を貸し出す衣装レンタルシステム、及び小物を貸し出す小物レンタルシステムに関するものである。
【背景技術】
【０００２】
近年、貸衣装ビジネスの市場規模は、種々要因（バブル期以降、女性の服に対するブランド志向が継続的に拡大、冠婚葬祭に際する衣装の自由化傾向など）により拡大傾向にある。特に富裕層にあたる個人（女性）は、多くの衣装を保有しているが、その中で滅多に着ていない衣装も多く、クローゼットの大部分のスペースを占めている場合も少なくない。邪魔になってきている衣装でも高級でよいものも多く、一般ユーザには借りたい人も多い。特に一度しか着ないようなパーティー衣装や入学式などに着る正装衣装など、そのニーズは大きい。そして、衣装を借りる側のユーザにとっては、手軽に安心して失敗なく利用できるレンタルシステムを望むところである。
【０００３】
これに対して、従来、衣装を貸したい人と衣装を借りたい人が相互に安心して利用でき、更に広く手軽に利用可能とする目的で、インターネットを利用した衣装レンタルシステムが提案されている（例えば、特許文献１参照）。
【０００４】
【特許文献１】特開２００３−２５６７４１号公報
【発明の開示】
【発明が解決しようとする課題】
【０００５】
しかしながら、上記従来の衣装レンタルシステムによれば、システム構成が大規模であると共に仕組みにおいて複雑であり、運営コストが増大すると共に、衣装在庫にともなう費用が大きく、これにより貸し出し料金が高額であったので改善が望まれていた。
【０００６】
一方で従来、利用者のメリットを更に大きくして利用価値を更に向上させる仕組みを持つレンタルシステムが望まれていた。
【０００７】
本発明は、上記に鑑みてなされたものであって、インターネットを用いて広く手軽に利用可能とすると共に、ユーザの利用価値を大きくする仕組みを持ち、更に構成を簡素化することでコストダウンを図り、これにより、貸し出し料金を低減することができるインターネット衣装レンタルシステム及びインターネット小物レンタルシステムを提供することを目的とする。
【課題を解決するための手段】
【０００８】
上述した課題を解決し、目的を達成するために、第１の本発明のインターネット衣装レンタルシステムは、複数のユーザの端末と、インターネット上におけるＷｅｂサイトを通じて通信可能な衣装レンタルシステムにおいて、貸したい会員の端末から衣装の登録を受け付けて登録情報としてデータベースに登録する登録手段と、登録手段により登録された衣装をＷｅｂサイト上に表示する表示手段と、表示手段により表示された画面からされる借りたい会員からの衣装の予約を受け付ける管理手段と、衣装の貸し出しが成立した際、貸し出した会員より衣装の借り受け代金を受け取ると共に、当該衣装の持ち主に貸し出しの口銭を支払う会計手段とを備えたことを特徴とする。
【０００９】
又、第２の本発明のインターネット衣装レンタルシステムにおいては、表示手段は、予め会員登録された会員からのみ衣装の予約を受け付ける会員向け画面を表示すると共に、非会員であっても閲覧のみ可能な一般画面を表示することを特徴とする。
【００１０】
更に、第３の本発明のインターネット衣装レンタルシステムにおいては、登録情報に衣装の鑑定情報が含まれ、管理手段は該鑑定情報により貸し出し金額を決定することを特徴とする。
【００１１】
更に又、第４の本発明のインターネット衣装レンタルシステムにおいては、登録情報に貸したい会員のポイント情報が含まれ、管理手段は貸し出しの衣装数に応じて貸したい会員のポイントを加算すると共に、該ポイントを当該貸したい会員が衣装を借りる際の貸し出し金額の割引率に反映することを特徴とする。
【００１２】
又、第５の本発明のインターネット衣装レンタルシステムにおいては、管理手段は、ポイントを貸したい会員の衣装の貸し出しが成立した際の貸し出しの口銭の金額に反映することを特徴とする。
【００１３】
更に、第６の本発明のインターネット衣装レンタルシステムにおいては、登録情報に衣装の試着情報が含まれ、管理手段は該試着情報により試着日の管理をすることを特徴とする。
【００１４】
更に又、第７の本発明のインターネット衣装レンタルシステムにおいては、登録された衣装を保管すると共に、衣装の貸し出しが成立した際、衣装配送の手配をする保管配送管理手段を更に備えたことを特徴とする。
【００１５】
又、第８の本発明のインターネット小物レンタルシステムは、複数のユーザの端末と、インターネット上におけるＷｅｂサイトを通じて通信可能な小物レンタルシステムにおいて、貸したい会員の端末から小物の登録を受け付けて登録情報としてデータベースに登録する登録手段と、登録手段により登録された小物をＷｅｂサイト上に表示する表示手段と、表示手段により表示された画面からされる借りたい会員からの小物の予約を受け付ける管理手段と、小物の貸し出しが成立した際、貸し出した会員より小物の借り受け代金を受け取ると共に、当該小物の持ち主に貸し出しの口銭を支払う会計手段とを備えたことを特徴とする。
【００１６】
更に、第９の本発明のインターネット小物レンタルシステムにおいては、表示手段は、予め会員登録された会員からのみ小物の予約を受け付ける会員向け画面を表示すると共に、非会員であっても閲覧のみ可能な一般画面を表示することを特徴とする。
【００１７】
更に又、第１０の本発明のインターネット小物レンタルシステムにおいては、登録情報に小物の鑑定情報が含まれ、管理手段は該鑑定情報により貸し出し金額を決定することを特徴とする。
【００１８】
又、第１１の本発明のインターネット小物レンタルシステムにおいては、登録情報に貸したい会員のポイント情報が含まれ、管理手段は貸し出しの小物数に応じて貸したい会員のポイントを加算すると共に、該ポイントを当該貸したい会員が小物を借りる際の貸し出し金額の割引率に反映することを特徴とする。
【００１９】
更に、第１２の本発明のインターネット小物レンタルシステムにおいては、管理手段は、ポイントを貸したい会員の小物の貸し出しが成立した際の貸し出しの口銭の金額に反映することを特徴とする。
【００２０】
更に又、第１３の本発明のインターネット小物レンタルシステムにおいては、登録情報に小物の試着情報が含まれ、管理手段は該試着情報により試着日の管理をすることを特徴とする。尚、ここで小物の試着とは、例えば腕時計を身につけてみる。鞄を手に提げてみるというように、実物を実際に手にとってみるというものである
【００２１】
更に、第１４の本発明のインターネット小物レンタルシステムにおいては、登録された小物を保管すると共に、小物の貸し出しが成立した際、小物配送の手配をする保管配送管理手段を更に備えたことを特徴とする。
【発明の効果】
【００２２】
第１の本発明のインターネット衣装レンタルシステムによれば、インターネット上におけるＷｅｂサイトを通じて通信可能であると共に、貸したい会員の端末から衣装の登録を受け付けて登録情報としてデータベースに登録する登録手段と、登録された衣装をＷｅｂサイト上に表示する表示手段と、借りたい会員からの衣装の予約を受け付ける管理手段と、貸し出した会員より衣装の借り受け代金を受け取ると共に、衣装の持ち主に貸し出しの口銭を支払う会計手段とを備えるので、広く手軽に利用可能とすると共に、構成が簡素化してコストダウンを図ることができ、貸し出し料金を低減することができるという効果を奏する。
【００２３】
又、第２の本発明のインターネット衣装レンタルシステムによれば、表示手段は、予め会員登録された会員からのみ衣装の予約を受け付ける会員向け画面を表示すると共に、非会員であっても閲覧のみ可能な一般画面を表示するので、会員に対して安心して利用することができるシステムであると共に、非会員の一般ユーザに対しても広く貸し出す衣装を公開することができるという効果を奏する。
【００２４】
更に、第３の本発明のインターネット衣装レンタルシステムによれば、登録情報に衣装の鑑定情報が含まれ、管理手段は該鑑定情報により貸し出し金額を決定するので、貸したい会員と企業との双方にとってリーゾナブルな貸し出し金額とすることができると共に、借りる側にとって適切な貸し出し金額となるという効果を奏する。
【００２５】
更に又、第４の本発明のインターネット衣装レンタルシステムにおいては、登録情報に貸したい会員のポイント情報が含まれ、管理手段は貸し出しの衣装数に応じて貸したい会員のポイントを加算すると共に、該ポイントを当該貸したい会員が衣装を借りる際の貸し出し金額の割引率に反映するので、貸したい会員のメリットが大きくなり、利用価値が高まるという効果を奏する。
【００２６】
又、第５の本発明のインターネット衣装レンタルシステムにおいては、管理手段は、ポイントを貸したい会員の衣装の貸し出しが成立した際の貸し出しの口銭の金額に反映するので、貸したい会員のメリットが更に大きくなり、利用価値が更に高まるという効果を奏する。
【００２７】
更に、第６の本発明のインターネット衣装レンタルシステムにおいては、登録情報に衣装の試着情報が含まれ、管理手段は該試着情報により試着日の管理をするので、会員は衣装を借りる前に試着をすることができ、失敗なく安心してシステムを利用することができるという効果を奏する。
【００２８】
更に又、第７の本発明のインターネット衣装レンタルシステムにおいては、登録された衣装を保管すると共に、衣装の貸し出しが成立した際、衣装配送の手配をする保管配送管理手段を備えているので、保管部門及び配送部門と情報を共有することでシステムの簡素化がされコストダウンを図ることができるという効果を奏する。
【００２９】
又、第８の本発明のインターネット小物レンタルシステムは、複数のユーザの端末と、インターネット上におけるＷｅｂサイトを通じて通信可能な小物レンタルシステムにおいて、貸したい会員の端末から小物の登録を受け付けて登録情報としてデータベースに登録する登録手段と、登録手段により登録された小物をＷｅｂサイト上に表示する表示手段と、表示手段により表示された画面からされる借りたい会員からの小物の予約を受け付ける管理手段と、小物の貸し出しが成立した際、貸し出した会員より小物の借り受け代金を受け取ると共に、当該小物の持ち主に貸し出しの口銭を支払う会計手段とを備えているので、広く手軽に利用可能とすると共に、構成が簡素化してコストダウンを図ることができ、貸し出し料金を低減する小物レンタルシステムとすることができるという効果を奏する。
【００３０】
更に、第９の本発明のインターネット小物レンタルシステムによれば、表示手段は、予め会員登録された会員からのみ小物の予約を受け付ける会員向け画面を表示すると共に、非会員であっても閲覧のみ可能な一般画面を表示するので、会員に対して安心して利用することができるシステムであると共に、非会員の一般ユーザに対しても広く貸し出す小物を公開することができるという効果を奏する。
【００３１】
更に又、第１０の本発明のインターネット小物レンタルシステムによれば、登録情報に小物の鑑定情報が含まれ、管理手段は該鑑定情報により貸し出し金額を決定するので、貸したい会員と企業との双方にとってリーゾナブルな貸し出し金額とすることができると共に、借りる側にとって適切な貸し出し金額となるという効果を奏する。
【００３２】
又、第１１の本発明のインターネット小物レンタルシステムにおいては、登録情報に貸したい会員のポイント情報が含まれ、管理手段は貸し出しの小物数に応じて貸したい会員のポイントを加算すると共に、該ポイントを当該貸したい会員が小物を借りる際の貸し出し金額の割引率に反映するので、貸したい会員のメリットが大きくなり、利用価値が高まるという効果を奏する。
【００３３】
更に、第１２の本発明のインターネット小物レンタルシステムにおいては、管理手段は、ポイントを貸したい会員の小物の貸し出しが成立した際の貸し出しの口銭の金額に反映するので、貸したい会員のメリットが更に大きくなり、利用価値が更に高まるという効果を奏する。
【００３４】
更に又、第１３の本発明のインターネット小物レンタルシステムにおいては、登録情報に小物の試着情報が含まれ、管理手段は該試着情報により試着日の管理をするので、会員は小物を借りる前に実物を見て確かめることができ、失敗なく安心してシステムを利用することができるという効果を奏する。
【００３５】
又、第１４の本発明のインターネット小物レンタルシステムにおいては、登録された小物を保管すると共に、小物の貸し出しが成立した際、小物配送の手配をする保管配送管理手段を備えているので、保管部門及び配送部門と情報を共有することでシステムの簡素化がされコストダウンを図ることができるという効果を奏する。
【発明を実施するための最良の形態】
【００３６】
以下に、本発明にかかるインターネット衣装レンタルシステム及びインターネット小物レンタルシステムの実施の形態を図面に基づいて詳細に説明する。尚、以下の実施の形態においては、衣装および小物をレンタルするインターネット衣装・小物レンタルシステムを説明するが、このシステムは衣装のみ或いは小物のみのレンタルシステムとして活用されてよい。尚、この実施の形態によりこの発明が限定されるものではない。
【００３７】
実施の形態
本実施の形態のレンタルシステムは、個人が着ていない衣装を気軽に貸し出しできる仕組みを有するものであり、貸衣装企業（以下、単に企業）がその衣装を保管し、ユーザに貸し出しができた場合、貸出料金の一部を貸し出しをしてくれた会員に還元する仕組みを構築したものである。利用者は、着ていない衣装をいわば資産運用できることになりメリットが大きく、又保有のスペースもなくなり利用価値が高い。更に、貸したい会員が自分の衣装を着たい場合は、事前に予約を入れればいつでも自分の服を着ることもでき利便性が高い。
【００３８】
一方、企業は、これら貸し出し登録された多数の個人衣装を当スキームに加盟する企業で共有在庫化することが可能となり、衣装の保有コストを大幅に削減することができる。又その結果、貸し出し料金を大幅に低減できるメリットもあり、ビジネス拡大を図ることができるというものである。
【００３９】
以下に、本発明にかかるインターネット衣装・小物レンタルシステムの実施の形態を図に基づいて詳細に説明する。尚、このインターネット衣装・小物レンタルシステムは、衣装（衣料品）のみならず、衣装の他に、宝石（ネックレス、指輪、イヤリングなど）、バッグ、靴、帽子、鞄、腕時計、ベルトなど身につけるもの一切を取り扱いするものである。以下の説明においては、衣装・小物を貸したいユーザを「貸したい会員」、衣装・小物を借りたいユーザを「借りたい会員」として表現する。会員になるためには後述の会員登録手続きが必要であるが、この会員登録は一般消費者のみならず、企業、団体、法人、グループなどが登録してもよい。システムは基本的には一般消費者とその他のものとを同じ仕組みで処理する。しかしながら、特に企業などにおいては、企業間の取り決め・契約などにより特別な優遇（例えば、割引率の拡大）を設けてもよい。
【００４０】
図１は本発明にかかるインターネット衣装・小物レンタルシステムの実施の形態のハードウェアシステム構成図である。図２は本実施の形態のインターネット衣装・小物レンタルシステムの情報及び物品の動きを示す機能構成ブロック図である。図１において、インターネット衣装・小物レンタルシステムは、企業に設置されるシステム管理コンピュータ１０及びサーバコンピュータ２０を有している。二つのコンピュータ１０，２０は、企業内ＬＡＮ８を介してインターネット７に接続されている。インターネット７には、ユーザ端末として、一般ユーザ端末３、貸したい会員端末４及び借りたい会員端末５が接続されている。
【００４１】
システム管理コンピュータ１０には、システムを管理する管理プログラムが搭載されている。この管理プログラムは、貸したい会員の端末から衣装の登録を受け付けて登録情報としてデータベースに登録する登録部（登録手段）１１と、登録部１１により登録された衣装をＷｅｂサイト上に表示する表示部（表示手段）１２と、表示部１２により表示された画面からされる借りたい会員からの衣装の予約を受け付ける管理部（管理手段）１３とを含んで構成されている。
【００４２】
サーバコンピュータ２０には、大容量の記憶装置３０が搭載されている。この記憶装置３０には、登録部１１が登録する登録情報として、閲覧用の貸し出し衣装・小物データベース（閲覧データベース）３１、貸し出し衣装・小物データベース３２、及び借り受け衣装・小物データベース３３が記憶されている。
【００４３】
図２において、企業８０は、上記システム管理コンピュータ１０及びサーバコンピュータ２０に加えて、企業の会計部４１と、企業の店舗及び倉庫４２を備えている。企業の会計部４１は、衣装の貸し出しが成立した際、貸し出した会員より衣装の借り受け代金を受け取ると共に、当該衣装の持ち主に貸し出しの口銭（衣装の貸し出しが成立した際、貸したい会員に支払われる代金のこと）を支払う会計手段を構成している。又、企業の店舗及び倉庫４２は、登録された衣装を保管すると共に、衣装の貸し出しが成立した際、衣装配送の手配をする保管配送管理手段を構成している。
【００４４】
システム管理コンピュータ１０の表示部（表示手段）１２は、インターネット７のＷｅｂサイト上で表示可能な画面を生成する。この画面は、第一に一般ユーザ（未会員）３のための当該サイトの詳細説明画面（一般向け画面）５０や、会員になるために入会登録をする会員入会登録画面５１である。又、第二に既に会員になったものがアクセスできる会員向け画面６０として表示される、貸したい会員４が貸したい衣装の各種情報の登録をする貸したい会員画面６１、会員が衣装の各種ステータスやポイントの確認をする会員マイページ画面６２、及び借りたい会員が借りたい衣装の検索や予約をする借りたい会員画面６３の表示をする。
【００４５】
システム管理コンピュータ１０の登録部（登録手段）１１は、これら画面から入力された情報を、閲覧データベース３１、貸し出し衣装・小物データベース３２、及び借り受け衣装・小物データベース３３に登録する。システム管理コンピュータ１０の管理部（管理手段）１３は、これらデータベース３１，３２，３３に登録された各種情報（登録情報）の管理をする。
【００４６】
貸し出し衣装・小物データベース３２には、登録部１１により、衣装情報（ブランド、品番、生地、色、サイズ、形状など）及び貸し出し許容期間などの情報が記憶される。この登録情報には、衣装の鑑定情報も含まれており、管理部１３はこの鑑定情報も考慮して貸し出し金額を決定する。更に、この登録情報には、貸したい会員のポイント情報も含まれており、管理部１３は貸し出しの衣装数に応じて貸したい会員のポイントを加算すると共にこのポイントを貸したい会員が衣装を借りる際の貸し出し金額の割引率に反映する。このポイントは、又貸したい会員の衣装の貸し出しが成立した際の貸し出しの口銭の金額にも反映される。更に又、この登録情報には、衣装の試着情報が含まれており、管理部１３はこの試着情報により試着日の管理をする。
【００４７】
図３は本実施の形態のインターネット衣装・小物レンタルシステムの動作を示すフローチャートである。まず図３に沿って本システムの手順の概略を説明し、その後、特定のステップの動作に基づいて本システムの特徴を詳細に説明する。
【００４８】
図３において、未会員の一般ユーザが、会員になる場合、まず表示部１２の表示する会員入会登録画面５１から以下の項目を入力して会員になるために会員登録手続きをする。登録部１１は、登録された情報をデータベースに記憶する（ステップＳ１）。
・会員規則提示及び会員規則提示賛同の可否
・その他入会手続き
・会費支払い（カード引き落とし）
（氏名、住所、取引銀行口座、カード番号等含む）
【００４９】
このようにして登録済みとなった個人会員は、管理部１３の管理のもと当該サイトの詳細説明画面（一般向け画面）６０からシステムにアクセス可能となる（ステップＳ２，Ｓ３）。
【００５０】
システムにアクセスした後は、データベースを閲覧のみしたい会員（ステップＳ１１）と、貸したい会員（ステップＳ２１）と、借りたい会員（ステップＳ３１）とで動作が変わる。
【００５１】
データベースを閲覧のみしたい会員のときは、表示部１２によりその会員個人の個人用のマイページ画面６２が表示される。この個人用マイページ画面６２においては、以下の情報が表示されて会員に確認される。尚、この表示は小物レンタルシステムの場合には、衣装が小物に替わりその他同様である（ステップＳ１２）。
・個人の貸し出し済み衣装のステータス表示
（貸し出し衣装の返却日、価格、期間、口銭額、鑑定ランクなど）
・借りている衣装の状況表示
・獲得ポイント表示
・会員適合ランク（割引、口銭率の変更）
・売り出し最低可能な金額
・質疑応答欄
【００５２】
一方、貸したい会員がアクセスしたときには、貸したい会員画面６１として、貸し出し衣装の入力ページが表示部１２により表示される。貸したい会員は、この画面から衣装情報（ブランド、品番、生地、色、サイズ、形状など）及び貸し出し許容期間の入力が可能となる。入力された情報は、登録部１１により、貸し出し衣装・小物データベース３２に記憶される。尚、このときの表示及び入力項目は、小物レンタルシステムの場合には、衣装が小物に替わりその他同様である。貸したい会員は、その後、衣装の郵送、或いは衣装の持込の準備する（ステップＳ２２）。
【００５３】
企業より衣装搬送持込了解の回答が貸したい会員にされる。これにより、貸したい会員が郵送或いは持ち込んだ衣装が企業指定の場所に届く。衣装は、企業の店舗及び倉庫４２に保管される（ステップＳ２３）。
【００５４】
その後、企業は、（出来れば貸したい会員と共に）衣装の状態の確認（写真取り他含む）、品質の鑑定ランク付け（Ａ〜Ｅ）、及び貸し出しの値付けをする。そして、会員が同席でない場合、以上を会員に伝える（メール或いは口頭）（ステップＳ２４）。
【００５５】
次いで、会員が評価の了解をする。一方、会員が評価の否定の場合、企業の店舗及び倉庫４２は、衣装の返送をする。会員が更に衣装を貸したい場合にはステップＳ２１へ戻る（ステップＳ２５）。
【００５６】
これらの情報が、登録部１１により貸し出し衣装・小物データベース３２に反映され、又、管理部１３により会員のポイントが加算される。この時点で衣装・小物には、損害賠償保険が対保される。その後、会員が表示を確認したい場合にはステップＳ１１へ移行する（ステップＳ２６）。その後、衣装の貸し出しが成立した場合、企業の会計部４１により貸したい会員に料金還元（口銭）の支払いが行われる。会員が更に衣装を貸したい場合にはステップＳ２１へ戻る（ステップＳ２７）。
【００５７】
一方、借りたい会員がアクセスしたときには、借りたい会員画面６３として貸し出し衣装検索ページが表示部１２により表示される。借りたい会員は、この画面から、例えば衣装情報（ブランド、品番、生地、色、サイズ、形状など）、衣装の程度ランクＡ〜Ｅ及び借りたい期間などの項目により、貸し出し衣装・小物データベース３２内の衣装を検索する。尚、このときの表示及び検索項目は、小物レンタルシステムの場合には、衣装が小物に替わりその他同様である（ステップＳ３２）。
【００５８】
借りたい会員は、所望の衣装が検索できた場合、衣装の予約を入力する（ステップＳ３３）。この予約の情報は、管理部１３の管理のもと登録部１１により借り受け衣装・小物データベース３３に記憶される。この会員の予約に対して、企業が諸条件（期間、価格、評価ランク確認、衣装の詳細情報など）の提示をする。又、合意かどうかの確認メールや試着希望か否かなどの確認メールを借りたい会員に送付する（ステップＳ３４）。次いで、会員は提示された諸条件の確認をした後、正式な発注メールを送信する（ステップＳ３５）。
【００５９】
その後、企業は衣装の送付をする。或いは企業は試着の案内やファッション・コーディネータの案件をする。更に衣装を借りたい場合にはステップＳ３１へ戻る。或いは、借りたい会員が反対に貸したくなった際にはステップＳ２１へ戻る（ステップＳ３６）。これらの情報が、登録部１１により借り受け衣装・小物データベース３３に反映され、又、企業の会計部４１は会員より代金の引き落としを行う（ステップＳ３７）。
【００６０】
衣装貸し出しの完了後、企業は返却された衣装の状態を確認する。そして、大きな破損等が存在した場合には、この衣装を借りた会員に対して、その旨の通知（お知らせ）をするとともに、会員規定に基づき、規定金額を会員より引き落とし、保険会社には損害保険を請求する。その後、借りた会員が更に衣装を借りたい場合にはステップＳ３１へ戻る。或いは、借りた会員が反対に貸したくなった際にはステップＳ２１へ戻る（ステップＳ３８）。
【００６１】
本実施の形態のインターネット衣装・小物レンタルシステムにおいては、ステップＳ１〜３の手順に示されるように、会員規則に賛同してくれた個人のみが、会員になることができ衣装の貸し出し借り受けが可能となる。この会員規則においては、特に貸し出し後の衣装・小物の劣化当についての取り扱いなどについて詳細な規定が定められている。
【００６２】
ステップＳ２２〜２３の手順に示されるように、貸したい会員に貸し出し衣装の特徴（ブランド、品番、生地、色、サイズ、形状、一般販売価格など）をシステムに入力してもらい、その入力情報を企業が見て、貸したい会員より貸し出しを受けるか否か判断し、システムで受け付ける場合にはその旨の返答がされる。データベース３２には、衣装の情報と共に鑑定結果のランク付けが登録される。一方、ステップＳ２５〜２６の手順に示されるように、もし衣装・小物が貸し出しにもあたらないような粗悪品の場合は、貸したい会員に返却される。
【００６３】
以上の手順を繰り返すことにより、貸したい会員は複数の衣装を企業に貸し出すことができる。企業は、貸し出された衣装の状況を常にシステム（貸し出し衣装・小物データベース３２）に反映して、会員が閲覧できるようにしている。表示される情報は、貸し出された日、価格、返却予定日、貸したい会員に支払われる金額（口銭）などである。
【００６４】
企業は、又、貸したい会員より貸し出された衣装を閲覧データベース３１に登録して、一般ユーザ３がインターネット７を通じて閲覧できるようにしている。ステップＳ１２の手順に示されるように、当該システムには、衣装データベースの検索機能や質問機能が構築されている。しかしながら、一般ユーザ３は貸し出しには参加できない。つまり、会員規則に賛同した会員のみしか貸し出しに参加できないようにされている。
【００６５】
ステップＳ７の手順に示されるように、貸したい会員は、貸し出しの衣装数に応じてポイントを得る。このポイントは、貸したい会員が衣装を借りた場合のディスカウント率として使用される。又、衣装を借りない会員においては、ポイントをためると自分のランクが上がり、貸し出した際の口銭のパーセンテージが上がる（例えば、口銭は当初は貸し出し金額の３０％であるが、ランクアップすると３３％になる）。ステップＳ１２の手順に示されるように、ポイントは個人のマイページ画面６２に表示される。尚、このマイページ画面６２では、予約状況、個人への支払予定金額、個人ポイント、定期的に行われる個人の衣装そのものに対する鑑定評価などが表示される。
【００６６】
ステップＳ３４〜３６の手順に示されるように、借りたい会員による衣装検索及び予約の際には、試着希望も受け付けられる。これにより、借りたい会員は希望日時に企業指定場所で試着することができる。又希望により、企業による衣装コーディネータのアドバイスも受けることもできる。
【００６７】
尚、会員が自分の衣装に関して、システム上で予約が入っていないことを確認して、事前に予約を入れれば、自宅に返却された自分の衣装を自分でも着ることもできる。この場合、企業への返却日を守り返却する。
【００６８】
又、会員の中で、どうしても売買を希望する場合には、その希望もシステム上受け付ける。その際、事前に会員は売却の場合の最低希望価格を入力しておく、又、その希望を受けない場合はその旨も入力しておく。この場合の口銭配分は別途定められている（例えば、企業側が１５％等）。
【００６９】
尚、本実施の形態のインターネット衣装・小物レンタルシステムは、衣装に限らず、衣装とコーディネートできるような、宝石や小物（ハンドバック、ブレスレット、時計など）も同様に扱えるようにされている。
【００７０】
以上のように、本実施の形態のインターネット衣装・小物レンタルシステムは、インターネット上におけるＷｅｂサイトを通じて通信可能であると共に、貸したい会員の端末から衣装の登録を受け付けて登録情報としてデータベースに登録する登録部１１と、登録された衣装をＷｅｂサイト上に表示する表示部１２と、借りたい会員からの衣装の予約を受け付ける管理部１３と、貸し出した会員より衣装の借り受け代金を受け取ると共に、衣装の持ち主に貸し出しの口銭を支払う会計部４１とを備えるので、広く手軽に利用可能とすると共に、構成が簡素化してコストダウンを図ることができ、貸し出し料金を低減することができる。
【００７１】
尚、上記実施の形態のインターネット衣装・小物レンタルシステムは、企業に設置されるシステム管理コンピュータ１０及びサーバコンピュータ２０を有しており、二つのコンピュータ１０，２０は、企業内ＬＡＮ８を介してインターネット７に接続されているが、このシステム管理コンピュータ１０及びサーバコンピュータ２０を、当スキームに加盟する企業から共有できるようインターネット７を介して企業内ＬＡＮ８に接続するようにしてもよい。このように情報を共有することでシステムの簡素化がされコストダウンを図ることができる。
【産業上の利用可能性】
【００７２】
以上のように、本発明にかかるインターネット衣装レンタルシステム及びインターネット小物レンタルシステムは、インターネットを利用して運用される衣装レンタルシステム、及び小物レンタルシステムに適用されて好適なものである。
【図面の簡単な説明】
【００７３】
【図１】本発明にかかるインターネット衣装・小物レンタルシステムの実施の形態のハードウェアシステム構成図である。
【図２】本実施の形態のインターネット衣装・小物レンタルシステムの情報及び物品の動きを示す機能構成ブロック図である。
【図３】本実施の形態のインターネット衣装・小物レンタルシステムの動作を示すフローチャートである。
【符号の説明】
【００７４】
３  一般ユーザ端末
４  貸したい会員端末
５  借りたい会員端末
７  インターネット
８  企業内ＬＡＮ
１０  システム管理コンピュータ
１１  登録部（登録手段）
１２  表示部（表示手段）
１３  管理部（管理手段）
２０  サーバコンピュータ
３０  記憶装置
３１  閲覧データベース
３２  貸し出し衣装・小物データベース（登録情報）
３３  借り受け衣装・小物データベース（登録情報）
４１  企業の会計部（会計手段）
４２  企業の店舗、倉庫（保管配送手段）
５０  当該サイトの詳細説明画面（一般向け画面）
５１  会員入会登録画面
６０  会員向け画面
６１  貸したい会員画面
６２  会員マイページ画面
６３  借りたい会員画面
８０  貸衣装企業
【図１】
2009104294.tif 000003
【図２】
2009104294.tif 000004
【図３】
2009104294.tif 000005